(57)【特許請求の範囲】
【請求項１】
シート材が軸線周りに巻回されてロール状に形成されたロールシートと、
前記ロールシートを収納する収納空間を有する直方体形状の収納箱とを備え、
前記収納箱は、前記収納空間を隔てて互いに対向する二組の側板部を有し前記軸線方向に延びる角筒部と、前記軸線方向に対向し前記角筒部の両端開口を閉塞する端板部とを有し、
前記端板部は、前記二組の側板部のうち、一方の組における側板部の両側縁から延出する一対のフラップと、他方の組における側板部の両側縁から延出する一対のフラップとのいずれか一方の一対のフラップを内側フラップとし、他方の一対のフラップを外側フラップとして折り重ねて接合され、
前記内側フラップの一部を局所的に前記収納空間側に突出させて形成され、前記ロールシートの前記軸線方向の端部を支持する支持部を有し、
前記支持部は、前記軸線周りに環状に形成された環状部を含むことを特徴とするロールシート収納体。
【請求項２】
前記環状部は、同心で複数配置され、前記シート材の厚さの二倍以上の幅で形成されていることを特徴とする請求項１記載のロールシート収納体。
【請求項３】
前記環状部は、当該環状部と交差する溝部を介して前記軸線周り方向に分離して配置されていることを特徴とする請求項１または２記載のロールシート収納体。
【請求項４】
前記溝部は、前記軸線ＡＸ周り方向について、外径側が内径側に対して、前記シート材を前記収納箱から引き出したときの前記ロールシートの回転方向前方側に位置する方向に延びていることを特徴とする請求項３記載のロールシート収納体。
【請求項５】
前記環状部は、同心で複数配置され、
隣り合う環状部においては、前記溝部の位置が前記軸線周り方向にずれて配置されていることを特徴とする請求項４記載のロールシート収納体。
【発明の詳細な説明】
【技術分野】
【０００１】
本発明は、ロールシート収納体に関するものである。
【背景技術】
【０００２】
料理の水や油切り、食品保存時の包装などに用いられるキッチンペーパー等のロールシートは、通常、幅方向に延びる軸線周りに巻回されてロール状に形成され、直方体形状の収納箱に装填されて販売されることが多い。例えば、キッチンにおいて、シートの幅方向を水平方向として収納箱を横置きとした場合には、大きい面積でスペースを占有してしまう。そこで、特許文献１には、縦置きとした収納箱が開示されている。
【先行技術文献】
【特許文献】
【０００３】
【特許文献１】特開平１０−１６９４９号公報
【発明の概要】
【発明が解決しようとする課題】
【０００４】
しかしながら、特許文献１に記載された収納箱にロールシートを収納した場合、ロールシートは比較的厚地であり、滑りが悪い特性を有しているため円滑にシートを引き出すことが困難であった。
【０００５】
本発明は、以上のような点を考慮してなされたもので、シート材を円滑に引き出すことが可能なロールシート収納体を提供することを目的とする。
【課題を解決するための手段】
【０００６】
本発明の第１の態様に従えば、シート材が軸線周りに巻回されてロール状に形成されたロールシートと、前記ロールシートを収納する収納空間を有する直方体形状の収納箱とを備え、前記収納箱は、前記収納空間を隔てて互いに対向する二組の側板部を有し前記軸線方向に延びる角筒部と、前記軸線方向に対向し前記角筒部の両端開口を閉塞する端板部とを有し、前記端板部は、前記二組の側板部のうち、一方の組における側板部の両側縁から延出する一対のフラップと、他方の組における側板部の両側縁から延出する一対のフラップとのいずれか一方の一対のフラップを内側フラップとし、他方の一対のフラップを外側フラップとして折り重ねて接合され、前記内側フラップの一部を局所的に前記収納空間側に突出させて形成され、前記ロールシートの前記軸線方向の端部を支持する支持部を有することを特徴とするロールシート収納体が提供される。
【０００７】
また、上記本発明の一態様に係るロールシート収納体において、前記支持部は、前記軸線周りに環状に形成された環状部を含むことを特徴とする。
【０００８】
また、上記本発明の一態様に係るロールシート収納体において、前記環状部は、同心で複数配置され、前記シート材の厚さの二倍以上の幅で形成されていることを特徴とする。
【０００９】
また、上記本発明の一態様に係るロールシート収納体において、前記環状部は、当該環状部と交差する溝部を介して前記軸線周り方向に分離して配置されていることを特徴とする。
【００１０】
また、上記本発明の一態様に係るロールシート収納体において、前記溝部は、前記軸線ＡＸ周り方向について、外径側が内径側に対して、前記シート材を前記収納箱から引き出したときの前記ロールシートの回転方向前方側に位置する方向に延びていることを特徴とする。
【００１１】
また、上記本発明の一態様に係るロールシート収納体において、前記環状部は、同心で複数配置され、隣り合う環状部においては、前記溝部の位置が前記軸線周り方向にずれて配置されていることを特徴とする。
【発明の効果】
【００１２】
本発明では、縦置きした場合でもシート材を円滑に引き出すことが可能になる。
【図面の簡単な説明】
【００１３】
【図１】本発明の実施の形態を示す図であって、ロールシート収納体１の外観斜視図である。
【図２】収納箱１０として組み立てられる前のブランクシートを示す平面図である。
【図３】ブランクシートを折り曲げて、両側面が開口した角筒部１２が形成された斜視図である。
【図４】収納箱１０の下端部における要部詳細図である。
【図５】収納箱１０が組み立てられたときの内側フラップ２ｂおよび内側フラップ４ｂを収納空間１１側から視た平面図である。
【図６】第２実施形態に係る環状部を収納空間１１側から視た平面図である。
【図７】ロールシートと環状部との接触に伴う力のモーメントを説明する図である。
【図８】実施例及び比較例の仕様及び評価を示す図である。
【発明を実施するための形態】
【００１４】
以下、本発明のロールシート収納体の実施の形態を、図１ないし図７を参照して説明する。図１は、第１実施形態のロールシート収納体１の外観斜視図である。
【００１５】
（ロールシート収納体１の第１実施形態）
ロールシート収納体１は、ロールシートＳＲと収納箱１０とを備えている。ロールシートＳＲは、例えば、クッキングペーパーやペーパータオル等の不織布で形成された長尺のシート材Ｓが軸線ＡＸ周りに巻回されてロール状に形成されている。本実施形態のロールシートＳＲは、芯材を用いることなくシート材Ｓのみで中実にロール状に形成されている。
【００１６】
収納箱１０は、ロールシートＳＲを収納する収納空間１１を有する直方体形状に紙材によって形成されている。図１に示す収納箱１０は、縦置きされた姿勢であり、軸線ＡＸが鉛直方向に沿うように配置されている。収納箱１０は、軸線方向ＡＸに延びる角筒部１２と、角筒部１２の両端開口を閉塞する端板部１３、１４とを備えている。
【００１７】
角筒部１２は、収納空間１１を隔てて互いに対向して組をなす側板部２、４および側板部３、５を有している。側板部３から側板部２にかけては、切り離し用の不連続切断線Ｌ１により開閉可能なロールシート引き出し口形成部７が形成されている。図１においては、ロールシート引き出し口形成部７が不連続切断線Ｌ１で切り離されて開かれ、収納空間１１が露出している状態が示されている（ロールシート引き出し口形成部７が切り離される前の状態は図３参照）。
【００１８】
図２は、収納箱１０として組み立てられる前のブランクシートを示す平面図である。 図２のブランクシートにおいて、符号６は内側側板部を示し、符号２ａ，２ｂ，４ａ，４ｂは内側フラップ、符号３ａ，３ｂ，５ａ，５ｂは外側フラップ、符号３ａ１は蓋部Ａにおける差込片の台形胴部、符号３ａ２は頭部、符号３ａ３は押罫線、符号３ａ４は首部（括れ部）、符号Ｄは差込孔、符号５ａ１は細幅矩形切欠部、符号５ａ２は半円形又は半楕円形の切欠部、符号Ｅは凹部、符号Ｌ１は不連続切断線、符号Ｌ２は切線を表す。
【００１９】
図３は、ブランクシートを側板部２、３、４、５の順に直角に折り曲げて内側側板部６の外面を側板部２の内面と接着剤により接合して両側面が開口した角筒部１２が形成された斜視図である。
【００２０】
ロールシート引き出し口形成部７の先端部には差込片７ａが設けられている。角筒部１２が形成されたときに、内側側板部６における差込片７ａと対向する位置には、差込片７ａの幅よりも長い切断部６ａが形成されている。図１に示したように、不連続切断線Ｌ１で切り離されたロールシート引き出し口形成部７は、差込片７ａが切断部６ａに係合することにより取り出し口を閉塞し、差込片７ａが切断部６ａから離脱することにより取り出し口を開放可能である。
【００２１】
角筒部１２の一方（図１では下側）の開口部を閉塞している端板部１３は、外側フラップ３ｂ、５ｂと、内側フラップ２ｂ、４ｂとを含む。角筒部１２の他方（図１では上側）の開口部を閉塞している端板部１４は、外側フラップ３ａ、５ａと、内側フラップ２ａ、４ａとを含む。
【００２２】
内側フラップ２ｂと内側フラップ４ｂを開口部側に折り込み、それらの外面を覆って外側フラップ３ｂと外側フラップ５ｂを折り重ねて接合することにより端板部１３が形成され下側の開口部が閉塞される。
【００２３】
内側フラップ２ｂは、内側フラップ２ｂの一部を局所的に収納空間１１側（内側フラップ２ｂの内面側）に突出させて形成された支持部２０ｂを有している。内側フラップ４ｂは、内側フラップ４ｂの一部を局所的に収納空間１１側（内側フラップ４ｂの内面側）に突出させて形成された支持部４０ｂを有している。支持部２０ｂおよび支持部４０ｂは、収納空間１１に収納されたロールシートＳＲの軸線ＡＸ方向の端部（図１では下端）を支持する。
【００２４】
図４は、収納箱１０の下端部における要部詳細図である。図５は、収納箱１０が組み立てられたときの内側フラップ２ｂおよび内側フラップ４ｂを収納空間１１側から視た平面図である。支持部２０ｂは、軸線ＡＸを中心として同心で、軸線ＡＸ周りに環状に形成された環状部２１ｂ、２２ｂを有している。同様に、支持部４０ｂは、軸線ＡＸを中心として同心で、軸線ＡＸ周りに環状に形成された環状部４１ｂ、４２ｂを有している。環状部２１ｂと環状部４１ｂとは同一径であり、環状部２２ｂと環状部４２ｂとは同一径である。
【００２５】
環状部２１ｂ、２２ｂおよび環状部４１ｂ、４２ｂは、例えば、エンボス加工により０．３ｍｍ程度突出して形成されている。
【００２６】
なお、エンボス加工により環状部２１ｂ、２２ｂおよび環状部４１ｂ、４２ｂがそれぞれ内側フラップ２ｂ、４ｂの内面側に突出して形成されている場合、外面側には環状部２１ｂ、２２ｂおよび環状部４１ｂ、４２ｂと相似形状の窪みが形成されるが、理解を容易にするために、図５を除いた図面においては環状部２１ｂ、２２ｂおよび環状部４１ｂ、４２ｂ（支持部２０ｂ、４０ｂ）と相似形状の窪みの図示を省略する。
【００２７】
環状部２１ｂ、２２ｂおよび環状部４１ｂ、４２ｂは、シート材Ｓの厚さの二倍以上の幅で形成されていることが好ましい。例えば、シート材Ｓの厚さが２ｍｍの場合、環状部２１ｂ、２２ｂおよび環状部４１ｂ、４２ｂの幅は、それぞれ４ｍｍ以上とすることが好ましい。環状部２１ｂ、２２ｂおよび環状部４１ｂ、４２ｂの幅が、シート材Ｓの厚さの二倍未満の場合、軸線ＡＸ周りに巻回されて径方向に重なるシート材Ｓの間に環状部２１ｂ、２２ｂおよび環状部４１ｂ、４２ｂが入り込んでしまい、ロールシートＳＲの端部を安定して支持することが困難になる可能性があるが、環状部２１ｂ、２２ｂおよび環状部４１ｂ、４２ｂの幅をシート材Ｓの厚さの二倍以上とすることにより、このような事態を回避できる。
【００２８】
内側フラップ２ａと内側フラップ４ａを開口部側に折り込み、それらの外面を覆って外側フラップ３ａと外側フラップ５ａを折り重ねて接合することにより端板部１４が形成され上側の開口部が閉塞される。なお、収納箱１０においては、ロールシートＳＲを上側の開口部または下側の開口部を介して収納空間１１に収納した後に、当該上側の開口部または下側の開口部を閉じる。
【００２９】
外側フラップ３ａは、その両側縁における対称位置から先端縁中央部まで対称形に延びる２本の傾斜線状の切り離し用不連続切断線Ｌ１によって台形状胴部３ａ１と先端縁がＲ形状とされている頭部３ａ２と、台形状胴部３ａ１と頭部３ａ２の間の首部３ａ４を有している差込片Ｃが形成されている詰め替え口開閉用蓋部Ａとされている。
【００３０】
外側フラップ５ａは、蓋部Ａの差込片Ｃの頭部の最大幅より大きい横幅の切線Ｌ２と、切線Ｌ２の両端側部分を除く中央部において、切線Ｌ２を間にしてフラップ先端側の細幅矩形切欠部５ａ１と反対側フラップ内の半円形又は半楕円形の切欠部５ａ２が一体的に形成されている形状の切欠部からなる前差込孔Ｄと、差込孔Ｄに隣接する凹部Ｅが形成されていて、蓋部Ａと一対で詰め替え口を開閉する蓋部Ｂとされている。
【００３１】
内側フラップ２ａは、内側フラップ２ａの一部を局所的に収納空間１１側に突出させて形成された支持部２０ａを有している。内側フラップ４ａは、内側フラップ４ａの一部を局所的に収納空間１１側に突出させて形成された支持部４０ａを有している。支持部２０ａおよび支持部４０ａは、収納空間１１に収納されたロールシートＳＲの軸線ＡＸ方向の端部（図１では上端）を支持する。支持部２０ａは、軸線ＡＸを中心として同心で、軸線ＡＸ周りに環状に形成された環状部２１ａ、２２ａを有している。環状部２１ａは、環状部２１ｂと同一径、且つ、同一幅に形成されている。環状部２２ａは、環状部２２ｂと同一径、且つ、同一幅に形成されている。
【００３２】
外側フラップ３ａにおいては、蓋部Ａの頭部３ａ２の先端縁側を上方に押し上げて起こし、該頭部３ａ２を摘んで不連続切断線Ｌ１を利用して差込片Ｃ部分を外側フラップ３ａから切り離すことにより蓋部Ａが形成される。蓋部Ａを形成するフラップ３ａは差込片Ｃ部分においても内側フラップ２ａや内側フラップ４ａの外面に部分的に接着されているが、該接着部は易剥離性の弱接着部であるので、不連続切断線Ｌ１により蓋部Ａの差込片Ｃ部分を切り離す際に同時に剥離することができる。不連続切断線Ｌ１により蓋部Ａの差込片Ｃ部分が切り離されると、内側フラップ２ａ及び内側フラップ４ａを左右に拡げることにより収納空間１１が開口する。
【００３３】
また、内側フラップ２ａ及び内側フラップ４ａを左右から収納空間１１側に折り込み、両フラップの外面に最初に蓋部Ｂを折り重ね、次いで蓋部Ｂの外面に蓋部Ａを折り重ね、その状態で蓋部Ａの差込片Ｃの頭部３ａ２のＲ形状先端縁を蓋部Ｂの差込孔Ｄの細幅矩形切欠部５ａ１側から差し込んで蓋部Ａと蓋部Ｂとを係合させることにより、収納空間１１が閉塞される。
【００３４】
ロールシートＳＲを交換する際には、まず、蓋部Ａと蓋部Ｂとの係合を解除して、蓋部Ａおよび蓋部Ｂと、内側フラップ２ａおよび内側フラップ４ａとを開き、新しいロールシートＳＲを収納空間１１に収納する。その後、内側フラップ２ａ及び内側フラップ４ａを収納空間１１側に折り込み、蓋部Ａと蓋部Ｂとを係合させて収納空間１１を閉塞することにより、ロールシートＳＲの交換が完了する。
【００３５】
続いて、上記ロールシート収納体１の作用について説明する。
ロールシート収納体１においては、上述したように、不連続切断線Ｌ１でロールシート引き出し口形成部７を切り離すことにより、シート材Ｓを引き出すための引き出し開口部が形成される。シートＳを使用する場合には、引き出し開口部からシートＳの先端を引き出し、シートＳに幅方向に形成されている不連続切断線（ミシン目；図示せず）に沿って単葉のシートＳに切り離す。
【００３６】
図１に示すように、縦置きにした収納箱１０のうち、側板部２における開口部からシートＳを引き出した際には、ロールシートＳＲは、軸線ＡＸ方向の上側から視て時計回り方向に回転する。このとき、ロールシートＳＲは、軸線ＡＸ方向の下側端部を環状部４１ｂ、４２ｂによって支持され、上側端部を環状部４１ａ、４２ａによって支持されて軸線ＡＸ周りに回転する。環状部４１ｂ、４２ｂは、内側フラップ４ｂの一部を局所的に突出させたものであり、また、環状部４１ａ、４２ａは、内側フラップ４ａの一部を局所的に突出させたものであるため、ロールシートＳＲは、内側フラップ４ａ、４ｂの内面に支持される場合と比較して少ない面積で支持され摩擦抵抗が小さい状態で回転することになる。
【００３７】
以上説明したように、本実施形態のロールシート収納体１では、少ない面積でロールシートＳＲを支持して摩擦抵抗が小さい状態でロールシートＳＲを回転させることができるため、シート材Ｓを円滑に引き出すことが可能になる。また、本実施形態のロールシート収納体１では、軸線ＡＸ回りに環状に形成された下側の環状部２１ｂ、２２ｂ、４１ｂ、４２ｂおよび上側の環状部２１ａ、２２ａ、４１ａ、４２ａによってロールシートＳＲを支持するため、軸線ＡＸ回りに回転するロールシートＳＲを偏りなく一様に支持することができる。さらに、本実施形態のロールシート収納体１では、下側の環状部２１ｂ、２２ｂ、４１ｂ、４２ｂおよび上側の環状部２１ａ、２２ａ、４１ａ、４２ａがそれぞれ同心で配置されているため、シート材Ｓの消費に伴ってロールシートＳＲの外径が小さくなっても安定して支持することが可能である。加えて、本実施形態のロールシート収納体１では、下側の環状部２１ｂ、２２ｂ、４１ｂ、４２ｂおよび上側の環状部２１ａ、２２ａ、４１ａ、４２ａのそれぞれの幅がシート材Ｓの厚さの二倍以上の幅で形成されているため、下側の環状部２１ｂ、２２ｂ、４１ｂ、４２ｂおよび上側の環状部２１ａ、２２ａ、４１ａ、４２ａが径方向に重なるシート材Ｓの間に入り込んでしまうことを回避でき、ロールシートＳＲの回転を摩擦抵抗が小さい状態で安定して支持することができる。
【００３８】
（ロールシート収納体１の第２実施形態）
続いて、ロールシート収納体１の第２実施形態について、図６を参照して説明する。これらの図において、図１乃至図５に示す第１実施形態の構成要素と同一の要素については同一符号を付し、その説明を省略する。第２実施形態と上記の第１実施形態とが異なる点は、環状部を軸線ＡＸ周り方向に分離して配置したことである。なお、第２実施形態では、後述する溝部の延びる方向以外は、内側フラップ２ｂ、４ｂに形成された環状部と内側フラップ２ａ、４ａに形成された環状部の構成は同様であるため、以下では、内側フラップ２ｂ、４ｂに形成された環状部についてのみ説明する。また、第２実施形態では、幅が狭い内側フラップ２ｂ、２ａについては径方向の外側に配置された環状部のみが形成されている。
【００３９】
図６は、内側フラップ２ｂおよび内側フラップ４ｂの内面の平面図である。図６に示されるように、内側フラップ２ｂに形成された環状部２２ｂは、当該環状部２２ｂと交差する溝部２３ｂを介して軸線ＡＸ周り方向に分離して配置されている。また、内側フラップ４ｂに形成された環状部４１ｂは、当該環状部４１ｂと交差する溝部４３ｂを介して軸線ＡＸ周り方向に分離して配置されている。内側フラップ４ｂに形成された環状部４２ｂは、当該環状部４２ｂと交差する溝部４４ｂを介して軸線ＡＸ周り方向に分離して配置されている。
【００４０】
溝部２３ｂは、収納箱１０の内側（収納空間１１）から外側に向かって視たときに、軸線ＡＸ周り方向について、外径側が内径側に対して、シート材Ｓを収納箱１０から引き出したときのロールシートＳＲの回転方向の前方側（図６では、時計回り方向）に位置する方向に直線状に延びて形成されている。溝部４３ｂおよび溝部４４ｂについても、軸線ＡＸ周り方向について、外径側が内径側に対して、シート材Ｓを収納箱１０から引き出したときのロールシートＳＲの回転方向の前方側に位置する方向に直線状に延びて形成されている。また、径方向に隣り合う環状部４１ｂ、４２ｂにおいては、溝部４３ｂと溝部４４ｂの位置が収納箱１０の内側から外側に向かって視たときに、軸線ＡＸ周り方向にずれて配置されている。
【００４１】
なお、内側フラップ２ａおよび内側フラップ４ａの内面に形成された環状部は、上記の環状部２２ｂ、４１ｂ、４２ｂと同様に溝部によって、収納箱１０の内側から外側に向かって視たときに、軸線ＡＸ周り方向に分離して配置されているが、内側フラップ２ａおよび内側フラップ４ａの環状部が支持するロールシートＳＲは、収納箱１０の内側から外側に向かって視たときに、回転方向が逆方向となるため、内側フラップ２ａおよび内側フラップ４ａの内面に形成された環状部を分離する溝部は、図６に示した溝部とは左右方向に反転し、収納箱１０の内側から外側に向かって視たときに、外径側が内径側に対して、反時計回り方向に位置する方向に直線状に延びて形成された図となる。
【００４２】
上記構成のロールシート収納体１では、図７（ａ）に示すように、一例として、上記の溝部４４ｂとは逆に、外径側が内径側に対してロールシートＳＲの回転方向の後方側に位置する方向に直線状に延びて形成されている場合、回転して溝部４４ｂから環状部４２ｂに乗り上げる二点鎖線で示す径方向に延びるロールシートＳＲの部分領域は、環状部４２ｂの外径側から接触し始める。一方、上記の溝部４４ｂのように、外径側が内径側に対してロールシートＳＲの回転方向の前方側に位置する方向に直線状に延びて形成されている場合、回転して溝部４４ｂから環状部４２ｂに乗り上げる二点鎖線で示す径方向に延びるロールシートＳＲの部分領域は、環状部４２ｂの内径側から接触し始める。摩擦抵抗による力のモーメントは、軸線ＡＸからの距離に比例するため、環状部４２ｂの内径側から接触する方が外径側から接触するよりも力のモーメントを小さくすることができる。
【００４３】
このように、上記の構成のロールシート収納体１では、上記第１実施形態のロールシート収納体１と同様の作用・効果が得られることに加えて、溝部２３ｂ、４３ｂ、４４ｂが形成されていることによって、ロールシートＳＲと環状部２２ｂ、４１ｂ、４２ｂとの接触面積が少なくなり、さらに摩擦抵抗を低減してシート材Ｓを円滑に引き出すことが可能になる。
【００４４】
また、本実施形態のロールシート収納体１では、溝部２３ｂ、４３ｂ、４４ｂが軸線ＡＸ周り方向について、外径側が内径側に対して、ロールシートＳＲの回転方向の前方側に位置する方向に直線状に延びて形成されているため、ロールシートＳＲと環状部２２ｂ、４１ｂ、４２ｂとの接触に伴う力のモーメントが小さくなり、シート材Ｓをより円滑に引き出すことが可能になる。
【実施例】
【００４５】
以下、実施例を示して本発明を詳細に説明するが、本発明は以下の実施例に限定されるものではなく、その要旨を逸脱しない範囲で適宜変更して実施することができる。
【００４６】
（実施例１〜２、比較例１〜２）
図８に示す仕様に従い、上記第１実施形態として図５に示した環状に形成された環状部２１ａ、２２ａ、４１ａ、４２ａおよび環状部２１ｂ、２２ｂ、４１ｂ、４２ｂを用いた場合を実施例１とし、上記第２実施形態として図６に示した環状部２２ｂ、４１ｂ、４２ｂを用いた場合を実施例２とし、環状部の幅を１ｍｍ（シート材Ｓの厚さの二倍未満）とした場合を比較例１、突出した支持部がない場合（内側フラップ２ａ、４ａ、２ｂ、４ｂの内面で支持した場合）を比較例２として、ロールシート収納体１からシート材Ｓを引き出した。
【００４７】
図８に示すように、軸線ＡＸ周り方向に分離して配置した環状部２２ｂ、４１ｂ、４２ｂを用いた場合に最もシート材Ｓが引き出しやすく、次いで、環状に形成された環状部２１ａ、２２ａ、４１ａ、４２ａおよび環状部２１ｂ、２２ｂ、４１ｂ、４２ｂを用いた場合にシート材Ｓが引き出しやすいことが確認された。また、環状部の幅がシート材Ｓの厚さの二倍未満である場合や、突出した支持部がない場合には、シート材Ｓが引き出し難い傾向であることが確認された。
【００４８】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４９】
例えば、上記実施形態では、支持部２０ａ、２０ｂ、４０ａ、４０ｂとして、軸線ＡＸ周りに環状に形成された環状部２１ａ、２２ａ、２１ｂ、２２ｂ、４１ａ、４２ａ、４１ｂ、４２ｂを例示したが、この構成に限定されるものではなく、例えば、軸線ＡＸを中心として径方向外側に向かって放射状に線状に形成される構成であってもよい。この構成においても、線幅が細い場合は、ロールシートＳＲの自重を少ない面積で支持することによりシート材Ｓが撓み摩擦抵抗が増加する可能性があるため、シート材Ｓの厚さの二倍以上の幅であることが好ましい。
【００５０】
また、放射状に延びる線形状としては直線に限られず、例えば、径方向の外側に向かうに従って、上述したロールシートＳＲの回転方向前方側に向かうように風車状に湾曲する形状であってもよい。この構成では、上述したように、ロールシートＳＲと支持部との接触に伴う力のモーメントを小さくすることができる。
【符号の説明】
【００５１】
１…ロールシート収納体、  ２〜５…側板部、  ２ａ，２ｂ，４ａ，４ｂ…内側フラップ、  ３ａ，３ｂ，５ａ，５ｂ…外側フラップ、  １０…収納箱、  １１…収納空間、  １２…角筒部、  １３、１４…端板部、  ２０ａ、２０ｂ、４０ａ、４０ｂ…支持部、  ２１ａ、２２ａ、２１ｂ、２２ｂ、４１ａ、４２ａ、４１ｂ、４２ｂ…環状部、  ２３ｂ、４３ｂ、４４ｂ…溝部、  ＡＸ…軸線、  Ｓ…シート材、  ＳＲ…ロールシート
【図１】
0006639884.tif 000002
【図２】
0006639884.tif 000003
【図３】
0006639884.tif 000004
【図４】
0006639884.tif 000005
【図５】
0006639884.tif 000006
【図６】
0006639884.tif 000007
【図７】
0006639884.tif 000008
【図８】
0006639884.tif 000009